(57)【要約】【課題】新たなモールドを作製することなく、ピッチ配列を変更した空気入りタイヤの作製に対応することができ、モールド費用の低減とタイヤ開発期間の短縮を図ることが可能なタイヤ加硫用モールドを提供する。【解決手段】タイヤ軸に沿って延在する複数の横溝５に区分された複数の陸部６を有し、該横溝５と陸部６を含むピッチ長La,Lb,Lc,Ld,Leの異なる複数のパターン要素Ａ，Ｂ，Ｃ，Ｄ，Ｅからなるトレッドパターン７をトレッド面４に成形する環状の側型３が、周方向に沿って分割した複数のピース１７から構成されている。複数のピース１７は、各横溝５を含む領域Ｘを成形する複数の第１ピース１７Ａと、各陸部６を含む領域Ｙを成形する複数の第２ピース１７Ｂとから構成されている。【選択図】図３
2006103127.tif 000002
【特許請求の範囲】
【請求項１】
タイヤ軸に沿って延在する複数の横溝に区分された複数の陸部を有し、該横溝と陸部を含むピッチ長の異なる複数のパターン要素からなるトレッドパターンをトレッド面に成形する環状の側型を周方向に沿って分割した複数のピースから構成し、該複数のピースを各横溝を含む領域を成形する複数の第１ピースと、各陸部を含む領域を成形する複数の第２ピースとから構成したタイヤ加硫用モールド。
【請求項２】
前記側型を周方向に沿って分割した複数のセクターから構成し、各セクターを周方向に沿って分割した前記複数のピースから構成した請求項１に記載のタイヤ加硫用モールド。
【発明の詳細な説明】
【技術分野】
【０００１】
本発明は、タイヤ加硫用モールドに関し、更に詳しくは、新たなモールドを作製することなく、ピッチ配列を変更した空気入りタイヤの作製に対応することができるセクショナル型のタイヤ加硫用モールドに関する。
【背景技術】
【０００２】
一般に、セクショナ型のタイヤ加硫用モールドは、上下の金型間にタイヤのトレッドパターンを成形する環状の側型を備えており、この側型を周方向に沿って分割した複数のセクターから構成している。各セクターのトレッド成形面にはトレッドパターンを成形するパターン要素成形部が設けられている（例えば、特許文献１参照）。
【０００３】
ところで、トレッドパターンに起因する騒音（パターンノイズ）を抑制するため、トレッド面にピッチ長の異なる複数のパターン要素からなるトレッドパターンを設けた空気入りタイヤが周知である。このような空気入りタイヤは、各セクターのトレッド成形面にピッチ長の異なる複数のパターン要素を成形するパターン要素成形部を備えたタイヤ加硫用モールドにより加硫成形されるが、周上で略均一な肉厚を有するグリーンタイヤのトレッド部の表面にピッチ長さの異なるパターン要素を成形するため、成形後のトレッド部の肉厚にバラツキが発生することが避けられず、それがユニフォミティを悪化させる一因になっている。
【０００４】
そこで、上記空気入りタイヤを設計する際に、高いパターンノイズ低減効果を得る一方、ユニフォミティへの悪影響を最小限に抑えるように予測して設計がなされるが、必ずしも予測した通りの効果を奏するタイヤが得られるとは限らず、また装着する車両との相性により予測していた効果が得られない場合が生じる。
【０００５】
それを解決するため、パターン要素の並べ替えを行い、ピッチ配列を変更した空気入りタイヤを試作しようとすると、それに応じた新たなモールド（側型）を作り直す必要があり、その結果、モールド費用及びタイヤ開発期間が増加するという問題があった。
【特許文献１】特開平９−３０９１１４号公報
【発明の開示】
【発明が解決しようとする課題】
【０００６】
本発明は、新たなモールドを作製することなく、ピッチ配列を変更した空気入りタイヤの作製に対応することができ、モールド費用の低減とタイヤ開発期間の短縮を図ることが可能なタイヤ加硫用モールドを提供することにある。
【課題を解決するための手段】
【０００７】
上記目的を達成する本発明のタイヤ加硫用モールドは、タイヤ軸に沿って延在する複数の横溝に区分された複数の陸部を有し、該横溝と陸部を含むピッチ長の異なる複数のパターン要素からなるトレッドパターンをトレッド面に成形する環状の側型を周方向に沿って分割した複数のピースから構成し、該複数のピースを各横溝を含む領域を成形する複数の第１ピースと、各陸部を含む領域を成形する複数の第２ピースとから構成したことを特徴とする。  
【発明の効果】
【０００８】
上述のように側型を周方向に沿って分割形成した複数のピースを、各横溝を含む領域を成形する複数の第１ピースと、各陸部を含む領域を成形する複数の第２ピースとから構成したので、パターン要素の並べ替えを行い、ピッチ配列を変更した空気入りタイヤの作製が必要になる場合には、ピースを並べ替えるだけで容易に対応することができるため、新たなモールドを作製することなく、ピッチ配列を変更した空気入りタイヤを作製することが可能になる。そのため、モールド費用を低減すると共にタイヤ開発期間を短縮することができる。
【発明を実施するための最良の形態】
【０００９】
以下、本発明の実施の形態について添付の図面を参照しながら詳細に説明する。
【００１０】
図１は、本発明のタイヤ加硫用モールドの一実施形態を示し、１，２は空気入りタイヤのサイド部を成形する上型と下型、３は上型１と下型２との間に配置された環状の側型である。
【００１１】
側型３は、図２に示すように、空気入りタイヤのトレッド面４に、タイヤ周方向Ｔに沿って異なるピッチ長La,Lb,Lc,Ld,Leで配置され、タイヤ軸（タイヤ幅方向）に沿って延在する複数の横溝５により区分された複数の陸部６を有し、該横溝５と陸部６を含むピッチ長La,Lb,Lc,Ld,Leの異なる複数のパターン要素Ａ，Ｂ，Ｃ，Ｄ，Ｅからなるトレッドパターン７を成形するものである。
【００１２】
図示する例では、トレッドパターン７は、更にタイヤ周方向Ｔに延在する主溝８と周方向細溝９を有し、主溝８と周方向細溝９間に上記横溝５が延設されている。横溝５、主溝８及び周方向細溝９によりブロックからなる上記陸部６が区分形成され、更に主溝８と周方向細溝９により区分されたリブ１０を備えており、各パターン要素Ａ，Ｂ，Ｃ，Ｄ，Ｅはそれらの部分から構成されている。
【００１３】
上記側型３は、周方向に沿って複数に分割したセクター１１から構成され、各セクター１１は、図３に示すように、トレッド成形面１２に複数のパターン要素Ａ，Ｂ，Ｃ，Ｄ，Ｅを成形するパターン要素成形部１３を備えている。パターン要素成形部１３は、主溝８を成形する主溝成形刃１４、周方向細溝９を成形する周方向細溝成形刃１５、横溝５を成形する横溝成形刃１６をトレッド成形面１２に突設した構成になっている。
【００１４】
各セクター１１は、更に周方向に沿って分割した複数のピース１７から構成され、複数のピース１７は、各横溝５を含む領域Ｘを成形する複数の第１ピース１７Ａと、各陸部６を含む領域Ｙを成形する複数の第２ピース１７Ｂとから構成されている。
【００１５】
各第１ピース１７Ａは、主溝成形刃部分１４ａ、周方向細溝成形刃部分１５ａ、横溝成形刃部分１６ａを有するパターン要素成形部分１３Ａをトレッド成形面１２側に備えている。各第２ピース１７Ｂは、主溝成形刃部分１４ａと周方向細溝成形刃部分１５ａを備えたパターン要素成形部分１３Ｂをトレッド成形面１２側に有している。
【００１６】
このように本発明では、周方向に沿って分割形成した複数のピース１７を上述した複数の第１ピース１７Ａと複数の第２ピース１７Ｂとから構成することにより、パターン要素Ａ，Ｂ，Ｃ，Ｄ，Ｅの並べ替えを行い、ピッチ配列を変更した空気入りタイヤの作製が必要になった場合には、図４にその一例（パターン要素Ｃ，Ａ，Ｅ，Ｂ，Ｄの順でパターン要素を成形する例）を示すように、第１ピース１７Ａと第２ピース１７Ｂを並べ替えるだけでよいため、新たなモールドを作製することなく、ピッチ配列を変更した空気入りタイヤの作製に対応することができる。従って、モールド費用の低減とタイヤ開発期間の短縮が可能になる。
【００１７】
また、セクター１１を複数のピース１７から構成することで、セクター１１毎に取り付ける既存の加硫機に容易に取り付けることができる。
【図面の簡単な説明】
【００１８】
【図１】本発明のタイヤ加硫用モールドの一実施形態を示す半断面図である。
【図２】トレッドパターンの一例を示すトレッド面の左側半分の要部展開図である。
【図３】図２のトレッドパターンを成形するためのセクターのトレッド成形面の下側半分の展開図である。
【図４】ピースを並べ替えたセクターの一例を示す図３に相当する展開図である。
【符号の説明】
【００１９】
１  上型
２  下型
３  側型
４  トレッド面
５  横溝
６  陸部
７  トレッドパターン
１１  セクター
１２  トレッド成形面
１３  パターン要素成形部
１７  ピース
１７Ａ  第１ピース
１７Ｂ  第２ピース
Ａ，Ｂ，Ｃ，Ｄ，Ｅ  パターン要素
La,Lb,Lc,Ld,Le  ピッチ長
Ｔ  タイヤ周方向  
Ｘ，Ｙ  領域
【図１】
2006103127.tif 000003
【図２】
2006103127.tif 000004
【図３】
2006103127.tif 000005
【図４】
2006103127.tif 000006